(57)【要約】本発明の映像表示システムは、起動を指示する旨の情報を含むコードを受信する場合、映像出力装置（１０７）から受信する映像信号による映像を表示するための機能を起動し、コードを受信しない場合、映像を表示するための機能を起動しない制御部を含む映像表示装置（１０５）と、映像出力装置（１０７）および映像表示装置（１０５）のそれぞれと接続され、不正使用を防止する旨の信号を映像出力装置（１０７）から受信すると、コードを映像表示装置（１０５）に送信するマイクロコンピュータを含むアダプタ（１０）と、を有する。
2010113256.tif 000002
【特許請求の範囲】
【請求項１】
起動を指示する旨の情報を含むコードを受信する場合、映像出力装置から受信する映像信号による映像を表示するための機能を起動し、前記コードを受信しない場合、前記映像を表示するための機能を起動しない制御部を含む映像表示装置と、
前記映像出力装置および前記映像表示装置のそれぞれと接続され、不正使用を防止する旨の信号を前記映像出力装置から受信すると、前記コードを前記映像表示装置に送信するマイクロコンピュータを含むアダプタと、
を有する映像表示システム。
【請求項２】
前記コードは前記映像表示装置および前記アダプタの組み合わせ毎に異なるものであり、
自装置に対応する前記コードが登録されたメモリが前記制御部に予め設けられ、
前記制御部は、
前記アダプタから前記コードを受信すると、受信したコードおよび登録されたコードの２つのコードが一致するか否かを判定し、該２つのコードが一致する場合、前記映像を表示するための機能を起動し、該２つのコードが一致しない場合、前記映像を表示するための機能を起動しない、請求の範囲第１項記載の映像表示システム。
【請求項３】
前記制御部は、
前記アダプタから前記コードを受信すると、前記２つのコードが一致するか否かを判定し、該２つのコードが一致する場合、不正使用防止を設定する旨の情報を前記メモリに登録し、または、前記メモリに不正使用防止を解除する旨の情報が登録されていると、不正使用防止を設定する旨の情報に更新し、該２つのコードが一致しない場合、前記メモリに登録された、不正使用防止を設定するか解除するかの情報を更新しない、請求の範囲第２項記載の映像表示システム。
【請求項４】
前記マイクロコンピュータは、
不正使用防止を解除する旨の信号を前記映像出力装置から受信すると、前記コードおよび不正使用防止を解除する旨の情報を含む解除信号を前記映像表示装置に送信し、
前記制御部は、
前記解除信号を前記アダプタから受信すると、該解除信号に含まれるコードおよび登録されたコードの２つのコードが一致するか否かを判定し、該２つのコードが一致する場合、不正使用防止を設定する旨の情報が前記メモリに登録されていると、不正使用防止を解除する旨の情報に更新し、該２つのコードが一致しない場合、前記メモリに登録された、不正使用防止を設定するか解除するかの情報を更新しない、請求の範囲第２項または第３項記載の映像表示システム。
【請求項５】
前記マイクロコンピュータは、前記コードを前記映像表示装置に送信する場合、該コードを一定時間毎に前記映像表示装置に送信する、請求の範囲第１項から第４項のいずれか１項記載の映像表示システム。
【請求項６】
前記アダプタに、前記映像出力装置または前記映像表示装置から電力供給を受けるための電源線がさらに設けられた、請求の範囲第１項から第５項のいずれか１項記載の映像表示システム。
【請求項７】
映像信号を出力する側の映像出力装置および該映像信号を受信する側の映像表示装置のそれぞれと接続される信号線と、
不正使用防止を指示する旨の信号を前記映像出力装置から前記信号線を介して受信すると、起動を指示する旨の情報を含むコードを前記信号線を介して前記映像表示装置に送信するマイクロコンピュータと、
を有するアダプタ。
【発明の詳細な説明】
【技術分野】
【０００１】
本発明は、映像表示装置と他の装置との間に接続されるアダプタと、アダプタおよび映像表示装置からなる映像表示システムとに関する。
【背景技術】
【０００２】
プロジェクタや大型ディスプレイ装置などの映像表示装置は、会社のオフィスなどでは複数の部署で共有設備として扱われてきた。現在、映像表示装置は、オフィスのような限られた場所だけでなく、学校や講堂など、多くの人がいる場所で共同使用されるようになった。そのため、映像表示装置の管理がより重要になり、映像表示装置の不正使用を防ぐためのセキュリティに対するニーズも増えてきた。【０００３】
決められたパスワードを入力しなければ映像を表示しないプロジェクタの一例が、特開２００８−９０２８５号公報に開示されている。
【発明の開示】
【０００４】
プロジェクタの使用をパスワードで管理すると、プロジェクタの利用者は、パスワードを覚えていなければならない。また、プロジェクタのオンスクリーンディスプレイ（ＯＳＤ）におけるパスワードの入力はリモコンを操作して行う必要があり、リモコンがパスワード入力を考慮して設計されていなければ、パスワードの入力作業が利用者にとって煩わしかった。パスワードの管理や入力が利用者にとって負担になっていた。
【０００５】
そのため、パスワードによるセキュリティ機能をプロジェクタが備えていても、その利用頻度が低く、セキュリティとして機能せず、正規の利用者以外の人に勝手に使用されてしまうことが問題になっていた。
【０００６】
本発明の目的の一つは、利用者の負担を軽減し、映像表示装置の不正使用を防止することを可能にした映像表示システムおよびアダプタを提供することである。
【０００７】
本発明の一側面の映像表示システムは、起動を指示する旨の情報を含むコードを受信する場合、映像出力装置から受信する映像信号による映像を表示するための機能を起動し、コードを受信しない場合、映像を表示するための機能を起動しない制御部を含む映像表示装置と、映像出力装置および映像表示装置のそれぞれと接続され、不正使用を防止する旨の信号を映像出力装置から受信すると、コードを映像表示装置に送信するマイクロコンピュータを含むアダプタと、を有する。
【０００８】
本発明の一側面のアダプタは、映像信号を出力する側の映像出力装置および映像信号を受信する側の映像表示装置のそれぞれと接続される信号線と、不正使用防止を指示する旨の信号を映像出力装置から信号線を介して受信すると、起動を指示する旨の情報を含むコードを信号線を介して映像表示装置に送信するマイクロコンピュータと、を有する。
【図面の簡単な説明】
【０００９】
【図１】図１は本実施形態の映像表示システムを説明するための図である。
【図２】図２は図１に示したＰＣの一構成例を示すブロック図である。
【図３】図３は図１に示したプロジェクタの一構成例を示すブロック図である。
【図４】図４は図１に示したアダプタの一構成例を示すブロック図である。
【図５】図５はプロジェクタのセキュリティの設定をオフからオンに変更する際の手順を示すシーケンス図である。
【図６】図６はセキュリティがオンに設定されたプロジェクタを起動するための動作手順を示すフローチャートである。
【図７】図７はプロジェクタのセキュリティの設定をオンからオフに変更する際の手順を示すシーケンス図である。
【符号の説明】
【００１０】
１０    アダプタ
１２、１３    ケーブル
１０３    マイコン
１０５    プロジェクタ
【発明を実施するための最良の形態】
【００１１】
本実施形態の映像表示システムを説明する。図１は本実施形態の映像表示システムを説明するための図である。本実施形態では、映像表示装置がプロジェクタの場合とする。【００１２】
本実施形態の映像表示システムは、プロジェクタ１０５と、アダプタ１０とを有する。図１に示すように、アダプタ１０は、パーソナルコンピュータ（以下では、ＰＣと表記する）１０７およびプロジェクタ１０５のそれぞれと接続されている。アダプタ１０はケーブル１２、１３を有し、ケーブル１２を介してＰＣ１０７と接続され、ケーブル１３を介してプロジェクタ１０５と接続されている。なお、ＰＣ１０７は、プロジェクタ１０５に映像信号を供給するための映像出力装置の一例である。【００１３】
図２は図１に示したＰＣの一構成例を示すブロック図である。【００１４】
図２に示すように、ＰＣ１０７は、記憶部１７１と、表示部１７２と、制御部１７３と、操作部１７４と、コネクタ部１７５とを有する。コネクタ部１７５は図１に示したケーブル１２を介してアダプタ１０と接続されている。制御部１７３は、プログラムにしたがって処理を実行するＣＰＵ（Central  Processing  Unit）１８１と、プログラムを記憶するメモリ１８２とを有する。メモリ１８２には不揮発性メモリである。【００１５】
制御部１７３は、プロジェクタのセキュリティについて設定するか解除するかを問い合わせるメッセージをアダプタ１０から受信すると、表示部１７２に表示させる。制御部１７３は、操作部１７４を介してセキュリティを設定する旨の指示が入力されると、セキュリティをオンに設定することを要求する旨の制御信号であるセキュリティ設定要求信号をアダプタ１０に送信する。その反対に、制御部１７３は、操作部１７４を介してセキュリティを解除する旨の指示が入力されると、セキュリティをオフに設定することを要求する旨の制御信号であるセキュリティ解除要求信号をアダプタ１０に送信する。【００１６】
次に、プロジェクタ１０５の構成を説明する。図３は図１に示したプロジェクタの一構成例を示すブロック図である。【００１７】
図３に示すように、プロジェクタ１０５は、映像表示部１５２と、映像信号処理部１５１と、制御部１５３と、操作部１５４と、コネクタ部１５５とを有する。コネクタ部１５５は図１に示したケーブル１３を介してアダプタ１０と接続されている。制御部１５３は、プログラムにしたがって処理を実行するＣＰＵ１６１と、プログラムを記憶するメモリ１６２とを有する。【００１８】
メモリ１６２は不揮発性メモリである。メモリ１６２には、プログラムの他に、プロジェクタ１０５およびアダプタ１０の組み合わせ毎に異なるコードが予め登録されている。プロジェクタ１０５およびアダプタ１０の組み合わせの一例は、プロジェクタ１０５を購入した際に付属品としてアダプタ１０が添付されている場合である。また、メモリ１６２には、プロジェクタのセキュリティをオンに設定するか、オフに設定するか情報を示すセキュリティ設定情報が登録される。セキュリティ設定情報は、不正使用防止を設定するか解除するかの情報に相当する。【００１９】
映像信号処理部１５１は、コネクタ部１５５を介して入力される映像信号に対して、水平周波数、垂直周波数および解像度などの信号判別を行う。そして、映像信号処理部１５１は、映像信号に対して、映像表示部１５２で表示可能な解像度への変換および画質処理などの画像処理を行い、画像処理後の映像データを映像表示部１５２に出力する。【００２０】
映像表示部１５２は、映像信号処理部１５１から入力される映像データから映像を形成するライトバルブ（不図示）と、ライトバルブによって形成された映像をスクリーンに投写するための光源（不図示）および複数のレンズ（不図示）と、レンズを光軸に沿って移動させるフォーカス調整部（不図示）とを有している。【００２１】
操作部１５４には、プロジェクタ１０５をオン／オフするための電源スイッチと、外部から入力される映像信号による映像をスクリーンに投射させるための複数のコントロールボタンとが設けられている。リモコンも操作部１５４に含まれる。【００２２】
制御部１５３は、メモリ１６２に登録されるセキュリティ設定情報を管理する。制御部１５３は、アダプタ１０からコードを受信すると、受信したコードがメモリ１６２に登録されたコードと一致するか否かを判定する。これらの２つのコードが一致する場合、制御部１５３は、映像信号処理部１５１を起動する。その際、制御部１５３は、セキュリティ設定情報が登録されていないか、セキュリティ設定情報がオフに設定されていると、セキュリティ設定情報をオンに設定する。これにより、不正使用防止が設定される。なお、上記２つのコードが一致しない場合、制御部１５３は何も処理しない。【００２３】
メモリ１６２に登録されたセキュリティ設定情報がオンに設定されていると、制御部１５３は、アダプタ１０からコードを受信しないと、映像信号処理部１５１を起動せず、ユーザはプロジェクタ１０５を使用できない。【００２４】
また、制御部１５３は、セキュリティをオフに設定する旨とコードの情報を含むセキュリティ解除信号をアダプタ１０から受信すると、セキュリティ設定情報をオフに設定し、不正使用防止を解除する。メモリ１６２に登録されたセキュリティ設定情報がオフに設定されると、アダプタ１０が接続されていなくても、また、アダプタ１０からコードを受信しなくても、ユーザは、プロジェクタ１０５を自由に使うことが可能となる。【００２５】
なお、本実施形態では、コードがプロジェクタおよびアダプタの組み合わせ毎に異なる場合で説明するが、コードは１種類であってもよい。【００２６】
次に、アダプタ１０の構成を説明する。図４は図１に示したアダプタの一構成例を示すブロック図である。【００２７】
図４に示すように、アダプタ１０は、マイクロコンピュータ（以下では、マイコンと称する）１０３と、ケーブル１２、１３とを有する。ケーブル１２、１３のそれぞれのコネクタ部（不図示）、ＰＣ１０７のコネクタ部１７５、およびプロジェクタ１０５のコネクタ部１５５は規格が統一されている。本実施形態では、コネクタの規格は９ｐｉｎのＤ−Ｓｕｂである。【００２８】
図４に示す、制御信号線１１４はマイコン１０３とＰＣ１０７との間で制御信号を送受信するための信号線であり、制御信号線１１５はマイコン１０３とプロジェクタ１０５との間で制御信号を送受信するための信号線である。【００２９】
また、アダプタ１０には、マイコン１０３に電力を供給するための電源線１１３が設けられている。本実施形態では、電源線１１３はＰＣ１０７と接続され、マイコン１０３はＰＣ１０７から電力の供給を受ける。マイコン１０３には、例えば、ＰＣ１０７から供給される電源電圧５Ｖで動作可能なほど消費電力の低いものが使用されている。【００３０】
ケーブル１２およびケーブル１３には、アダプタ１０を中継する制御信号線１１１および映像信号線１１２が設けられている。制御信号線１１１は、プロジェクタ１０５が使用可能になった後に、ＰＣ１０７とプロジェクタ１０５との間で直接に制御信号を送受信するための信号線である。映像信号線１１２は、プロジェクタ１０５が使用可能になった後に、ＰＣ１０７からプロジェクタ１０５へ直接に映像信号を送信するための信号線である。【００３１】
本実施形態のマイコン１０３の構成は、ＩＣ（Integrated  Circuit:集積回路）チップである。マイコン１０３は、プログラムにしたがって処理を実行するＣＰＵ１２１と、プログラムを記憶するメモリ１２２とを有する。メモリ１２２は不揮発性メモリである。メモリ１２２には、同じ組み合わせのプロジェクタ１０５に対応するコードが予め登録されている。【００３２】
マイコン１０３は、ＰＣ１０７から電力供給を受け始めると、プロジェクタのセキュリティについて設定するか解除するかを問い合わせるメッセージをＰＣ１０７に送信する。そして、マイコン１０３は、セキュリティ設定要求信号をＰＣ１０７から受信すると、メモリ１２２からコードを読み出してプロジェクタ１０５に送信する。また、マイコン１０３は、セキュリティ解除要求信号をＰＣ１０７から受信すると、セキュリティ解除信号をプロジェクタ１０５に送信する。【００３３】
次に、本実施形態の映像表示システムにおける各種動作の手順を説明する。【００３４】
はじめに、プロジェクタ１０５のセキュリティの設定をオフからオンに変更する場合の手順を説明する。図５はプロジェクタのセキュリティの設定をオフからオンに変更する際の手順を示すシーケンス図である。【００３５】
ユーザは、図１に示したように、アダプタ１０のケーブル１２をＰＣ１０７に接続し、ケーブル１３をプロジェクタ１０５に接続する。続いて、ユーザは、プロジェクタ１０５およびＰＣ１０７の電源を入れる。これにより、ＰＣ１０７およびプロジェクタ１０５が起動する。【００３６】
ＰＣ１０７からアダプタ１０に電力が供給されると、マイコン１０３は、セキュリティをオンにするか、オフにするかを問い合わせる旨のメッセージをＰＣ１０７に送信する（ステップ１０１）。ＰＣ１０７は、マイコン１０３から受信したメッセージを表示部１７２に表示する（ステップ１０２）。ユーザが操作部１７４を操作して、セキュリティをオンに設定する旨の指示を入力すると、ＰＣ１０７は、セキュリティ設定要求信号をケーブル１２を介してアダプタ１０に送信する（ステップ１０３）。【００３７】
マイコン１０３は、セキュリティ設定要求信号をＰＣ１０７から受信すると、メモリ１２２からコードを読み出し、読み出したコードをケーブル１３を介してプロジェクタ１０５に送信する（ステップ１０４）。プロジェクタ１０５の制御部１５３は、アダプタ１０からコードを受信すると、受信したコードがメモリ１６２に予め登録されたコードと一致するかを判定する（ステップ１０５）。【００３８】
制御部１５３は、判定の結果、これら２つのコードが一致すると判断すると、メモリ１６２のセキュリティ設定情報をオフからオンに変更する（ステップ１０６）。一方、ステップ１０５の判定で２つのコードが一致しなければ、制御部１５３は、メモリ１６２のセキュリティ設定情報を更新せず、そのままにする。【００３９】
なお、ここではＰＣ１０７の電源を入れる際にプロジェクタ１０５の電源も入れたが、プロジェクタ１０５の電源は後で入れてもよい。この場合、マイコン１０３は、コードを一定時間毎にプロジェクタ１０５に送信する。プロジェクタ１０５の制御部１５３は、プロジェクタ１０５の電源が投入され、電力供給が開始された後に、コードをアダプタ１０から受信することが可能となる。【００４０】
次に、予めセキュリティをオンに設定したプロジェクタを起動させる手順を説明する。【００４１】
図６はセキュリティがオンに設定されたプロジェクタを起動するための動作手順を示すフローチャートである。【００４２】
ユーザは、図１に示したように、アダプタ１０のケーブル１２をＰＣ１０７に接続し、ケーブル１３をプロジェクタ１０５に接続する。続いて、ユーザは、プロジェクタ１０５およびＰＣ１０７の電源を入れる。その際、ＰＣ１０７は起動するが、プロジェクタ１０５はセキュリティがオンに設定されているため、制御部１５３は、映像信号処理部１５１を起動しない。【００４３】
ＰＣ１０７からアダプタ１０に電力が供給されると、図５で説明したステップ１０１からステップ１０４までの処理と同様に行われる（ステップ２０１〜２０４）。プロジェクタ１０５の制御部１５３は、アダプタ１０からコードを受信すると、受信したコードがメモリ１６２に予め登録されたコードと一致するかを判定する（ステップ２０５）。【００４４】
制御部１５３は、判定の結果、これら２つのコードが一致すると判断すると、映像信号処理部１５１への電力供給を開始し、映像信号処理部１５１を起動する（ステップ２０６）。映像信号処理部１５１が起動すると、ユーザはプロジェクタ１０５を使用することが可能になる。【００４５】
一方、ステップ２０５の判定で２つのコードが一致しなければ、制御部１５３は、映像信号処理部１５１を起動しない。映像信号処理部１５１が起動しないので、ユーザはプロジェクタ１０５を使用することができない。【００４６】
なお、ＰＣ１０７の電源を入れる際にプロジェクタ１０５の電源も入れたが、プロジェクタ１０５の電源は後で入れてもよく、その場合、マイコン１０３は、コードを一定時間毎にプロジェクタ１０５に送信する。【００４７】
次に、プロジェクタ１０５のセキュリティの設定をオンからオフに変更する場合の手順を説明する。図７はプロジェクタのセキュリティの設定をオンからオフに変更する際の手順を示すシーケンス図である。【００４８】
ユーザは、図１に示したように、アダプタ１０のケーブル１２をＰＣ１０７に接続し、ケーブル１３をプロジェクタ１０５に接続する。続いて、ユーザは、プロジェクタ１０５およびＰＣ１０７の電源を入れる。その際、ＰＣ１０７は起動するが、プロジェクタ１０５はセキュリティがオンに設定されているため、制御部１５３は、映像信号処理部１５１を起動しない。【００４９】
ＰＣ１０７からアダプタ１０に電力が供給されると、図５で説明したステップ１０１からステップ１０２までと同様の処理が行われる（ステップ３０１〜３０２）。続いて、ユーザが操作部１７４を操作して、セキュリティをオフに設定する旨の指示を入力すると、ＰＣ１０７は、セキュリティ解除要求信号をケーブル１２を介してアダプタ１０に送信する（ステップ３０３）。【００５０】
マイコン１０３は、セキュリティ解除要求信号をＰＣ１０７から受信すると、メモリ１２２からコードを読み出し、セキュリティ解除信号をケーブル１３を介してプロジェクタ１０５に送信する（ステップ１０４）。【００５１】
プロジェクタ１０５の制御部１５３は、アダプタ１０からセキュリティ解除信号を受信すると、セキュリティ解除信号に含まれるコードがメモリ１６２に予め登録されたコードと一致するかを判定する（ステップ３０５）。制御部１５３は、判定の結果、これら２つのコードが一致すると判断すると、メモリ１６２のセキュリティ設定情報をオンからオフに変更する（ステップ１０６）。続いて、制御部１５３は、映像信号処理部１５１への電力供給を開始し、映像信号処理部１５１を起動する。一方、ステップ３０５の判定で２つのコードが一致しない場合、制御部１５３は、メモリ１６２のセキュリティ設定情報を更新せず、そのままにする。【００５２】
上述した方法であれば、コードの異なるアダプタ１０を用いてプロジェクタ１０５のセキュリティを解除しようとしても解除できない。よって、プロジェクタ１０５と同じ組み合わせのアダプタ１０を持たない人がプロジェクタ１０５のセキュリティを解除しようとしても解除することができず、プロジェクタ１０５の不正使用を防げる。なお、プロジェクタ１０５のセキュリティを解除すれば、プロジェクタ管理者以外のユーザも、アダプタ１０がなくてもプロジェクタ１０５を自由に使用することが可能となる。【００５３】
なお、本実施形態では、コードがプロジェクタおよびアダプタの組み合わせ毎に異なる場合で説明したが、コードが１種類しかなく、どの組み合わせでも同じとしてもよい。本実施形態では、コードがプロジェクタに対する起動を指示する旨の情報と識別子としての２つの役目を果たしていたが、コードが１種類しかない場合、コードはプロジェクタに対して起動を指示する旨の信号の役目を果たす。【００５４】
コードが１種類しかない場合、図５に示したステップ１０５、図６に示したステップ２０５および図７に示したステップ３０５の判定の処理は省略される。図６の場合で説明すると、プロジェクタ１０５は、ステップ２０４でアダプタ１０からコードを受信すると、映像信号処理部１５１を起動し、プロジェクタ１０５を使用可能な状態にする。【００５５】
上述したように、本実施形態では、プロジェクタのセキュリティがオンに設定されていると、アダプタがないとプロジェクタを使用することができないため、プロジェクタの不正使用を防止できる。ユーザは、アダプタが不正に使われないように、プロジェクタとは別の所でアダプタを保管すればよい。１つのマイコンを主な構成とするアダプタはプロジェクタに比べてコンパクトであり、アダプタの保管の方がプロジェクタの保管よりもユーザへの負担は小さい。また、ユーザは、パスワードを暗記する必要がないため、ユーザの負担が軽減する。【００５６】
また、本実施形態で説明したように、プロジェクタおよびアダプタの組み合わせ毎にコードが異なっていれば、組み合わせの異なるアダプタではプロジェクタを使用できないだけでなく、セキュリティの設定を変更することができず、不正使用に対する防止効果が向上する。【００５７】
また、アダプタのマイコンへはＰＣから電力を供給する構成であるため、アダプタに電源を搭載する必要がなく、アダプタをよりコンパクトにすることができる。また、マイコンを集積回路にすれば、アダプタをさらにコンパクトにすることができる。【００５８】
なお、本実施形態では、プロジェクタ１０５の制御部１５３は、セキュリティの設定に対応して映像信号処理部１５１への電力供給を制御しているが、映像信号処理部１５１の代わりに映像表示部１５２を制御対象としてもよい。その制御対象となる、映像を表示するための機能として、映像信号処理部１５１および映像表示部１５２に限らず、ランプの電源など他の構成であってもよい。【００５９】
また、マイコンへの電力供給をＰＣ側から行う場合で説明したが、マイコンへの電力供給をプロジェクタ側から行ってもよい。【００６０】
本発明を、会社のオフィスで使用される場合に限らず、学校や講堂などの教育分野で使用される場合、および携帯用の場合の映像表示装置の不正使用防止対策に適用することが可能である。【００６１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【図１】
2010113256.tif 000003
【図２】
2010113256.tif 000004
【図３】
2010113256.tif 000005
【図４】
2010113256.tif 000006
【図５】
2010113256.tif 000007
【図６】
2010113256.tif 000008
【図７】
2010113256.tif 000009
【国際調査報告】
2010113256.tif 000010
2010113256.tif 000011
2010113256.tif 000012
2010113256.tif 000013